(57)【特許請求の範囲】
【請求項１】
油タンクと該油タンクより低い位置に設けた燃焼器とを接続する燃料供給管に、減圧弁と該減圧弁の下流側に電磁開閉弁を介在させ、且つ該減圧弁の下流側の燃料供給管内の燃料圧力を検知する圧力センサを設け、該圧力センサに、減圧弁に設定される設定圧力より高い一定以上の圧力を検出したとき、前記電磁開閉弁を閉じるようにした燃料供給構造。
【請求項２】
前記センサーに減圧弁に設定される設定圧力より低い一定以下の圧力を検出したとき、表示手段を作動させるようにした請求項１記載の燃料供給構造。
【発明の詳細な説明】
【０００１】
【発明の属する技術分野】
油タンクから落差を利用して液体燃料（主として灯油）を燃焼器に供給する燃料供給構造に関する。
【０００２】
【従来の技術】
従来、燃焼器の設置面より２．０  ｍ以上高いところに設置した油タンクから落差を利用して液体燃料（主として灯油）を燃焼器に供給する燃料供給構造にあっては、油タンクと燃焼器とを接続する燃料供給管に、燃焼器に供給される燃料の供給圧を一定にするための減圧弁を介在させている。
【０００３】
【発明が解決しようとする課題】
しかし、燃料供給管内に浸入したゴミ等の異物によって減圧弁の減圧作用が低下すると、減圧弁の下流側の燃料供給管内の燃料の圧力が増大し、これによって、ポットバーナ等の燃焼器にあっては、燃焼器側に備える定油面器の安全装置が作動したり、又、該安全装置が正しく作動しない場合は定油面器から燃料が溢れ出るといった不具合がある。
【０００４】
又、ガンタイプ等の圧力噴霧式燃焼器にあっては、バーナに燃料を圧送する電磁ポンプの一次側の燃料の圧力が増大し、これに伴ってバーナへの燃料供給量が増え異常燃焼となるといった不具合がある。
本発明はかかる不具合を解消することを課題とする。
【０００５】
【課題を解決するための手段】
本願の請求項１に記載の発明は、油タンクと該油タンクより低い位置に設けた燃焼器とを接続する燃料供給管に、減圧弁と該減圧弁の下流側に電磁開閉弁を介在させ、且つ該減圧弁の下流側の燃料供給管内の燃料圧力を検知する圧力センサを設け、該圧力センサに、減圧弁に設定される設定圧力より高い一定以上の圧力を検出したとき、前記電磁開閉弁を閉じるようにしたことで、減圧弁の減圧作用が低下しても、燃焼器側に設定圧力より高い圧力の燃料が流れることがない。
【０００６】
本願の請求項２に記載の発明は、請求項１に記載の発明において、前記センサーに減圧弁に設定される設定圧力より低い一定以下の圧力を検出したとき、表示手段を作動させることで、前記圧力センサを利用して燃料切れを簡単に知ることができる。
【０００７】
【発明の実施の形態】
本発明実施の形態を図に付き説明する。
【０００８】
図面で１は油タンク、２は該油タンク１より低い位置に設置したポット式燃焼器その他の液体燃焼器、３は該油タンク１と燃焼器２とを接続する液体燃料供給管を示し、該油タンク１は、燃焼器２の設置面より２．０  ｍ以上高いところに設置して落差によって液体燃料（灯油）を燃焼器２に供給する。
【０００９】
４は燃焼器２に供給される燃料圧を決めるために該燃料供給管３に介在させた減圧弁、５は燃料供給管３の減圧弁４の下流側に介在させた電磁開閉弁を示す。減圧弁４は、図２に示すごとく弁筐６内を油タンク１に連なる一次室７と燃焼器２に連なる二次室８とに区画する仕切り壁９と、該仕切り壁９に設けた弁孔１０と、該弁孔１０の周囲の弁座１１に対向する弁体１２とを備え、該弁体１２は、これを弁座１１に圧接する側に弾発するばね１３と、二次室８内の圧力を受けて該弁体１２を弁座１１に圧接する方向に働くダイヤフラム１４と、該ダイヤフラム１４の背面に介在させた弁体１２を弁座１１から離反させる方向に弾発するばね１５を備え、ばね１３とばね１５とダイヤフラム１４に働く二次室８内との圧力バランスで、該弁座１１と弁体１２との間の隙間を調節して二次室８の圧力を一定に保つようにして成る。
【００１０】
しかし、減圧弁４の減圧作用が低下すると、例えば、弁座１１と弁体１２との間の隙間にごみが付着する等して減圧弁４が設定隙間を維持できず減圧弁４の減圧作用が低下し二次室８内の圧力が減圧弁４の設定圧力以上になると、これに伴って燃焼器２に供給される燃料量が増大し、燃料が溢れ出るといった不具合を生じる。
【００１１】
そこで、減圧弁４と電磁開閉弁５との間の燃料供給管３内の燃料の圧力を検出する圧力センサー１８を設け、該圧力センサー１８に検出される液体燃料供給管３内の圧力が減圧弁４に設定される設定圧力（０．１Ｋｇ／ｃｍ２  ）より高い一定以上の圧力、例えば０．２Ｋｇ／ｃｍ２  以上を検出したとき電磁開閉弁５を閉じるようにした。
なお、１６はばね１３のばね圧を調節する調節ねじ、１７は弁筐６に設けた蓋を示す。
【００１２】
圧力センサー１８は、特に図示しないが、ストレンゲージを備えたダイヤフラムからなり、該ダイヤフラムの一側に二次室８内の圧力を作用させ、該圧力によるダイヤフラムの歪の大きさに伴うストレンゲージの電圧変化を検出し、その検出される電圧と減圧弁４の設定圧力に設定された設定電圧とを比較し、該圧力センサー１８に検出される電圧が高いとき、電磁開閉弁５を閉じるようにした。
【００１３】
なお、図１に示すものは、ポットバーナ等の燃焼器２を備える実施の態様を示し、このものでは、電磁開閉弁５を液体燃料供給管３に介在させているが、ガンタイプ等の圧力噴霧式燃焼器２にあっては、バーナに燃料を圧送する電磁ポンプに電磁開閉弁を内臓させ、消火時に該電磁開閉弁を閉じるようにしている。この電磁開閉弁を、前述するものと同様に圧力センサー１８に検出される液体燃料供給管３内の圧力が減圧弁４に設定される設定圧力より高い一定以上の圧力を検出したとき閉じることで、圧力噴霧式燃焼器２にあっても、減圧弁４の減圧作用が低下したときに一定圧力以上の燃料が供給されることがなくなり、異常に燃料が供給されることにより異常な燃焼が持続するといった不具合を解消できる。
【００１４】
なお、油タンク１内に燃料がなくなる（燃料切れ）と、該圧力センサー１８に検出される圧力が減圧弁４に設定される圧力より大幅に低下する。これを圧力センサー１８に検出させ、その検出時に表示手段１９、例えばランプを点灯させ又はブザを鳴らすようにすれば燃料切れを簡単に知らせることができる。
【００１５】
次ぎに本装置作動回路を示せば図３に示すとおりである。
該作動回路は運転スイッチ回路２０と、ＣＰＵ回路２１と、電磁弁作動回路２２とを備え、運転スイッチ回路２０に備える運転スイッチ２０ａを閉じると、該回路２０に設けたホトトランジスタＰＨ１が発光し、ＣＰＵ回路２１に設けたホトカプラｐｈ１がこの光を受光してＣＰＵ回路２１を作動状態とする。
ＣＰＵ回路２１の入力側には、前記圧力センサー１８（圧力変化に伴う電圧変化をアナログ信号として出力する）を備え、ＣＰＵ回路２１の出力側には給油ランプ又はブザー２１ａと、電磁弁作動回路２２の電磁開閉弁５に介入させたリレー接点ｒｙ１を動作させるリレーＲＹ１とを備える。
【００１６】
その動作を説明すると、圧力センサー１８に検出される圧力が設定圧力範囲にあれば、運転スイッチ２０ａの投入と同時に、リレーＲＹ１が励磁して、リレー接点ｒｙ１を閉じる。これによって電磁開閉弁５は開く。しかし、圧力センサー１８に検出される圧力が、減圧弁４に設定される圧力より高い一定以上の圧力、例えば０．２Ｋｇ／ｃｍ２  以上となりこれに応じて圧力センサー１８の出力が４Ｖ以上になると、ＣＰＵ回路２１の出力がＯＦＦし、これによってリレーＲＹ１が消磁してリレー接点ｒｙ１を開き電磁開閉弁５は閉じる。
又、圧力センサー１８に検出される圧力が減圧弁４に設定される圧力より低い一定以下の圧力、例えば０．０２Ｋｇ／ｃｍ２  以下となりこれに応じて圧力センサー１８の出力が０．４Ｖ以下になると、ＣＰＵ回路２１の出力で給油ランプ又はブザー２１ａがＯＮとなり油切れを知らせる。
【００１７】
なお、上記電磁開閉弁５は、長期に亘って燃焼器２を使用しないとき閉じて燃焼器側に燃料が流さないようにして、不使用時に燃焼器２側から燃料が漏れ出ないようにする機能を果たすが、このものでは、電磁開閉弁５と減圧弁４との間に燃料が閉じ込められ、閉じ込められた燃料が気温の上昇等によって膨脹して圧力が高まり、その圧力で減圧弁４等二次側配管部材を傷めるといった不具合を生じる。そこで、該減圧弁４の２次側の圧力を減圧弁４の上流側に流す逃し弁２３を設けたものを本願出願人は別途出願した。
この場合、該圧力の高まりを逃し弁２３で逃がす前に、該圧力の上昇を感知できれば、電磁開閉弁５を開く等して、その圧力を下げる対策ができてより好ましい。
そこで、図４に示す逃し弁２３を設けたものにおいて、該減圧弁４と電磁開閉弁５との間に前記圧力センサ１８を設けると共に圧力センサ１８に異常圧力を検知したときこれを表示するブザー等の表示手段を設けた。
【００１８】
【発明の効果】
請求項１に記載の発明によるときは、燃焼器側に設定圧以上の燃料が流れることがなく、燃焼器側への燃料供給圧が増加し、燃焼器側に備える定油面器の安全装置が作動したり、安全装置が正しく作動しない場合は定油面器から燃料が溢れ出るといった不具合、又は、バーナへの燃料供給量が増え燃焼が不安定となるといった不具合を解消できる。
【００１９】
請求項２に記載の発明によるときは、前記圧力センサを利用して燃料切れを簡単に知ることができる。
【００２０】
【図面の簡単な説明】
【図１】本発明実施の形態の一例を示す側面図
【図２】減圧弁の拡大截断面図
【図３】作動回路図
【図４】他の実施の態様を示す要部の側面図
【符号の説明】
１  油タンク        ２  燃焼器              ３  液体燃料供給管
４  減圧弁          ５  電磁開閉弁        １８  圧力センサー
【図１】
0003576853.tif 000002
【図２】
0003576853.tif 000003
【図３】
0003576853.tif 000004
【図４】
0003576853.tif 000005